(57)【要約】【課題】第１電子機器と第２電子機器とを結合するための構成の簡素化がしやすい新規な構成の電子機器システムを得る。【解決手段】電子機器システム１は、第１電子機器２と、第２電子機器３と、を備える。第１電子機器２の回転部材４１は、第１アーム部４１ｂを有し、少なくとも非結合位置Ｐ１と結合位置との間で回転可能に、筐体１４に支持されている。第２電子機器３のガイド部２４ｂは、第２電子機器３の第１方向Ｄ１への移動に伴って第１アーム部４１ｂを第１方向Ｄ１に押すことにより、回転部材４１を結合位置に向かって回転させる。被引掛部２４ｃには、回転部材４１が結合位置に位置してロック機構４４によってロックされた状態で、第１アーム部４１ｂが引っ掛けられている。【選択図】図３
2020123144.tif 000002
【特許請求の範囲】
【請求項１】
第１電子機器と、
前記第１電子機器に向かう第１方向の移動によって前記第１電子機器と結合され、前記第１方向の反対の第２方向の移動によって前記第１電子機器から外される第２電子機器と、
を備え、
前記第１電子機器は、
ベース部と、
第１アーム部を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、
前記結合位置に位置した前記回転部材をロックし、かつ前記回転部材のロックの解除が可能なロック機構と、
を備え、
前記第２電子機器は、
前記第２電子機器の前記第１方向への移動に伴って前記第１アーム部を前記第１方向に押すことにより、前記回転部材を前記非結合位置から前記結合位置に向かって回転させるガイド部と、
前記ガイド部によって回転された前記回転部材が前記結合位置に位置して前記ロック機構によってロックされた状態で、前記第１アーム部の前記第１方向に位置し前記第１アーム部が引っ掛けられた被引掛部と、
を備えた、電子機器システム。
【請求項２】
前記第１アーム部は、前記回転部材が前記非結合位置に位置した状態で、前記第１方向と交差する方向に延びた、請求項１に記載の電子機器システム。
【請求項３】
前記第１電子機器は、前記第１方向と直交する方向に互いに間隔を空けて位置した二つの前記回転部材を有し、
二つの前記回転部材の二つの前記第１アーム部は、二つの前記回転部材が前記非結合位置に位置した状態で、前記回転中心側の基端部から前記基端部の反対側の先端部に向かうにつれて互いの間隔が広がるように構成された、請求項２に記載の電子機器システム。
【請求項４】
前記第１電子機器は、
第１端子と、
前記第１端子と電気的に接続された第１グランド部材と、
を備え、
前記第２電子機器は、
第２端子と、
前記ガイド部および前記第２端子と電気的に接続された第２グランド部材と、
を備え、
前記回転部材は、導電性を有し、前記第１グランド部材と電気的に接続され、
前記第１端子と前記第２端子とは、前記回転部材が前記非結合位置に位置した状態では離間し、前記回転部材が前記結合位置に位置した状態では、接触する、請求項１〜３のうちいずれか一つに記載の電子機器システム。
【請求項５】
前記第１電子機器は、
第１端子を有し前記第１方向および前記第２方向に移動可能に前記ベース部に支持された可動体を備え、
前記回転部材は、前記可動体に引っ掛かり、前記回転部材の前記非結合位置から前記結合位置への移動に伴い前記可動体を前記第２方向に移動させる第２アーム部を有し、
前記第２電子機器は、少なくとも前記回転部材が前記結合位置に位置した状態で、前記第１端子と接触する第２端子を有した、請求項１〜３のうちいずれか一つに記載の電子機器システム。
【請求項６】
前記第１電子機器は、前記結合位置から前記非結合位置に向かう方向に前記回転部材を回転させる弾性力を発生する弾性部材を備えた、請求項１〜５のうちいずれか一つに記載の電子機器システム。
【請求項７】
前記第１電子機器は、前記第２方向を向いた面を有し、前記面を前記第１方向に貫通し前記第１端子の移動が可能な開口部が設けられたカバーを有し、
前記回転部材が前記非結合位置に位置した状態では、前記第１端子は、前記第１端子の先端が前記面よりも前記第１方向に位置した状態で、前記カバー内に収容され、
前記回転部材が前記結合位置に位置した状態では、前記第１端子の前記先端が前記面よりも前記第２方向に位置した状態で前記第１端子が前記開口部から突出する、請求項５に記載の電子機器システム。
【請求項８】
前記ロック機構は、ラッチ機構である、請求項１〜７のうちいずれか一つに記載の電子機器システム。
【請求項９】
ガイド部と被引掛部とを有した電子機器を着脱可能に支持する支持装置であって、
前記電子機器は、前記支持装置に向かう第１方向の移動によって前記支持装置と結合され、前記第１方向の反対の第２方向の移動によって前記支持装置から外され、
前記支持装置は、
ベース部と、
第１アーム部を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、
前記結合位置に位置した前記回転部材をロックし、かつ前記回転部材のロックの解除が可能なロック機構と、
を備え、
前記回転部材は、前記電子機器の前記第１方向への移動に伴って前記ガイド部によって前記第１アーム部が前記第１方向に押されることにより、前記非結合位置から前記結合位置に向かって回転し、
前記第１アーム部は、前記ガイド部によって回転された前記回転部材が前記結合位置に位置して前記ロック機構によってロックされた状態で、前記第１アーム部は、前記被引掛部の前記第２方向に位置し前記被引掛部に引っ掛かった、支持装置。
【発明の詳細な説明】
【技術分野】
【０００１】
本発明は、電子機器システムおよび支持装置に関する。
【背景技術】
【０００２】
従来、例えば、支持装置としての第１電子機器と、第１電子機器に着脱可能に結合される第２電子機器と、を備えた電子機器システムが知られている。
【先行技術文献】
【特許文献】
【０００３】
【特許文献１】特開２０１７−４１０２７号公報
【発明の概要】
【発明が解決しようとする課題】
【０００４】
この種の電子機器システムでは、例えば、二つの電子機器を結合するための構成の簡素化がしやすい新規な構成が得られれば有益である。
【０００５】
そこで、本発明の課題の一つは、第１電子機器と第２電子機器とを結合するための構成の簡素化がしやすい新規な構成の電子機器システムおよび支持装置を得ることである。
【課題を解決するための手段】
【０００６】
本発明の第１態様にかかる電子機器システムは、第１電子機器と、前記第１電子機器に向かう第１方向の移動によって前記第１電子機器と結合され、前記第１方向の反対の第２方向の移動によって前記第１電子機器から外される第２電子機器と、を備える。前記第１電子機器は、ベース部と、第１アーム部を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、前記結合位置に位置した前記回転部材をロックし、かつ前記回転部材のロックの解除が可能なロック機構と、を備える。前記第２電子機器は、前記第２電子機器の前記第１方向への移動に伴って前記第１アーム部を前記第１方向に押すことにより、前記回転部材を前記非結合位置から前記結合位置に向かって回転させるガイド部と、前記ガイド部によって回転された前記回転部材が前記結合位置に位置して前記ロック機構によってロックされた状態で、前記第１アーム部の前記第１方向に位置し前記第１アーム部が引っ掛けられた被引掛部と、を備える。
【０００７】
前記電子機器システムでは、例えば、前記第１アーム部は、前記回転部材が前記非結合位置に位置した状態で、前記第１方向と交差する方向に延びている。
【０００８】
前記電子機器システムでは、例えば、前記第１電子機器は、前記第１方向と直交する方向に互いに間隔を空けて位置した二つの前記回転部材を有し、二つの前記回転部材の二つの前記第１アーム部は、二つの前記回転部材が前記非結合位置に位置した状態で、前記回転中心側の基端部から前記基端部の反対側の先端部に向かうにつれて互いの間隔が広がるように構成されている。
【０００９】
前記電子機器システムでは、例えば、前記第１電子機器は、第１端子と、前記第１端子と電気的に接続された第１グランド部材と、を備え、前記第２電子機器は、第２端子と、前記ガイド部および前記第２端子と電気的に接続された第２グランド部材と、を備え、前記回転部材は、導電性を有し、前記第１グランド部材と電気的に接続され、前記第１端子と前記第２端子とは、前記回転部材が前記非結合位置に位置した状態では離間し、前記回転部材が前記結合位置に位置した状態では接触する。
【００１０】
前記電子機器システムは、例えば、前記第１電子機器は、第１端子を有し前記第１方向および前記第２方向に移動可能に前記ベース部に支持された可動体を備え、前記回転部材は、前記可動体に引っ掛かり、前記回転部材の前記非結合位置から前記結合位置への移動に伴い前記可動体を前記第２方向に移動させる第２アーム部を有し、前記第２電子機器は、少なくとも前記回転部材が前記結合位置に位置した状態で、前記第１端子と接触する第２端子を有する。
【００１１】
前記電子機器システムでは、例えば、前記第１電子機器は、前記結合位置から前記非結合位置に向かう方向に前記回転部材を回転させる弾性力を発生する弾性部材を備える。
【００１２】
前記電子機器システムでは、例えば、前記第１電子機器は、前記第２方向を向いた面を有し、前記面を前記第１方向に貫通し前記第１端子の移動が可能な開口部が設けられたカバーを有し、前記回転部材が前記非結合位置に位置した状態では、前記第１端子は、前記第１端子の先端が前記面よりも前記第１方向に位置した状態で、前記カバー内に収容され、前記回転部材が前記結合位置に位置した状態では、前記第１端子の前記先端が前記面よりも前記第２方向に位置した状態で前記第１端子が前記開口部から突出する。
【００１３】
前記電子機器システムでは、例えば、前記ロック機構は、ラッチ機構である。
【００１４】
本発明の第２態様にかかる電子機器システムは支持装置は、ガイド部と被引掛部とを有した電子機器を着脱可能に支持する支持装置である。前記電子機器は、前記支持装置に向かう第１方向の移動によって前記支持装置と結合され、前記第１方向の反対の第２方向の移動によって前記支持装置から外される。前記支持装置は、ベース部と、第１アーム部を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、前記結合位置に位置した前記回転部材をロックし、かつ前記回転部材のロックの解除が可能なロック機構と、を備える。前記回転部材は、前記電子機器の前記第１方向への移動に伴って前記ガイド部によって前記第１アーム部が前記第１方向に押されることにより、前記非結合位置から前記結合位置に向かって回転する。前記第１アーム部は、前記ガイド部によって回転された前記回転部材が前記結合位置に位置して前記ロック機構によってロックされた状態で、前記第１アーム部は、前記被引掛部の前記第２方向に位置し前記被引掛部に引っ掛かる。
【発明の効果】
【００１５】
本発明の上記態様によれば、第１電子機器と第２電子機器とを結合するための構成の簡素化がしやすい新規な構成の電子機器システムおよび支持装置を得ることができる。
【図面の簡単な説明】
【００１６】
【図１】図１は、実施形態の電子機器システムの正面側からの例示的な斜視図であって、第１電子機器と第２電子機器とが結合された状態の図である。
【図２】図２は、実施形態の電子機器システムの正面側からの例示的な斜視図であって、第１電子機器と第２電子機器とが分離された状態の図である。
【図３】図３は、実施形態の電子機器システムの一部の例示的な断面図であって、第１電子機器と第２電子機器とが分離された状態の図である。
【図４】図４は、実施形態の第１電子機器の正面側からの例示的な斜視図であって、結合部のフロントカバーが取り外されかつ結合機構が結合状態にある図である。
【図５】図５は、実施形態の第１電子機器の正面側からの例示的な斜視図であって、結合部のフロントカバーが取り外されかつ結合機構が非結合状態にある図である。
【図６】図６は、実施形態の電子機器システムの一部の例示的な断面図であって、第１電子機器と第２電子機器との結合動作において非結合位置に位置した回転部材とガイド部とが接触した状態の図である。
【図７】図７は、実施形態の電子機器システムの一部の例示的な断面図であって、第１電子機器と第２電子機器との結合が完了した状態（結合完了状態）の図である。
【図８】図８は、実施形態の電子機器システムの一部の例示的な断面図であって、第１電子機器から第２電子機器を分離させるために、図７の状態から第２電子機器が更に第１方向に移動された状態の図である。
【発明を実施するための形態】
【００１７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１８】
なお、本明細書では、序数は、部品や、部材、部位、位置、方向等を区別するためだけに用いられており、順番や優先度を示すものではない。
【００１９】
図１は、実施形態の電子機器システム１の正面側からの例示的な斜視図であって、第１電子機器２と第２電子機器３とが結合された状態の図である。図２は、実施形態の電子機器システム１の正面側からの例示的な斜視図であって、第１電子機器２と第２電子機器３とが分離された状態の図である。
【００２０】
図１および図２に示されるように、電子機器システム１は、第１電子機器２と、第１電子機器２に着脱可能に結合される第２電子機器３と、を備える。第１電子機器２は、支持装置の一例である。
【００２１】
以下、第１電子機器２に第２電子機器３が起立状態で結合（支持）された結合形態（図１）を基準として、電子機器システム１を使用する使用者から見た方向で、手前側を前側（前方）、奥側を後側（後方）と称し、電子機器システム１の高さ方向を上下方向、電子機器システム１の幅方向を左右方向とも称する。
【００２２】
第１電子機器２は、入力部１１と、結合部１２と、を備える。第２電子機器３は、タブレット型（スレート型）のパーソナルコンピュータとして構成されている。第２電子機器３は、第１電子機器２の結合部１２に着脱可能に結合される。第２電子機器３は、第１電子機器２から外された状態（図２）から、第１電子機器２に向かう第１方向Ｄ１の移動によって、第１電子機器２と結合される（図１）。また、第２電子機器３は、第１電子機器２に結合された状態（図１）から、第１電子機器２から離れる方向、すなわち第１方向Ｄ１の反対の第２方向Ｄ２の移動によって、第１電子機器２から外される（図２）。第１方向Ｄ１は、一例として下方と同じであり、第２方向Ｄ２は、一例として上方と同じである。
【００２３】
以下、第２電子機器３、第１電子機器２の順で第２電子機器３、第１電子機器２を詳細に説明する。
【００２４】
図３は、実施形態の電子機器システム１の一部の例示的な断面図であって、第１電子機器２と第２電子機器３とが分離された状態の図である。
【００２５】
図２および図３に示されるように、第２電子機器３は、筐体２１と、筐体２１に収容された表示装置２２（図２）と、筐体２１に収容された第２コネクタ２３（図３）と、を有する。
【００２６】
図２に示されるように、筐体２１は、扁平な略直方体に形成されている。筐体２１は、例えば、前壁２１ｃや、後壁２１ｄ、下壁２１ｅ、上壁２１ｆ、左壁２１ｇ、右壁２１ｈ等の複数の壁を有している。
【００２７】
前壁２１ｃは、表示装置２２の表示面が露出する矩形枠状に形成されている。前壁２１ｃは、筐体２１の前面を含み、後壁２１ｄは、筐体２１の後面を含む。下壁２１ｅおよび上壁２１ｆは、それぞれ、筐体２１の下端部および上端部を構成している。左壁２１ｇおよび右壁２１ｈは、それぞれ、筐体２１の左端部および右端部を構成している。また、筐体２１は、複数の部材の組み合わせによって構成されている。筐体２１の複数の部材は、爪やネジ等のよって互いに結合されている。
【００２８】
また、図３に示されるように、筐体２１には、第１電子機器２における結合機構１６の回転部材４１と結合する結合部２４が設けられている。
【００２９】
二つの結合部２４は、筐体２１における下壁２１ｅの内面に設けられている。二つの結合部２４は、左右方向に間隔を空けて設けられ、当該二つの結合部２４の間に第２コネクタ２３が位置する。二つの結合部２４は、所定の平面１００に関して対称形状である。結合部２４は、第１電子機器２の回転部材４１毎に設けられている。
【００３０】
結合部２４には、開口部２４ａが設けられている。開口部２４ａは、下壁２１ｅを貫通し下方に開放された凹部である。結合部２４は、ガイド部２４ｂと、被引掛部２４ｃと、を有する。ガイド部２４ｂおよび被引掛部２４ｃは、開口部２４ａを形成している。すなわち、ガイド部２４ｂおよび被引掛部２４ｃは、開口部２４ａに面している。ガイド部２４ｂは、平坦部２４ｂｂと、曲部２４ｂｃと、を含む。平坦部２４ｂｂは、左右方向に延びる平面である。曲部２４ｂｃは、平坦部２４ｂｂにおける第２コネクタ２３とは反対側の端部から第２コネクタ２３から離間する方向に延びている。曲部２４ｂｃは、第２コネクタ２３から離間する方向に向かうにしたがい下方に向かう凹曲面である。被引掛部２４ｃは、曲部２４ｂｃの下端部から第２コネクタ２３に近づく方向に延びた平面である。
【００３１】
図２に示される表示装置２２は、例えば、液晶ディスプレイである。なお、表示装置２２は、液晶ディスプレイに限られない。例えば、表示装置２２は、有機ＥＬ（Electro  Luminescence）ディスプレイ等であってもよい。
【００３２】
図３に示される第２コネクタ２３は、筐体２１に収容され表示装置２２を制御する基板である制御基板（不図示）に、電気的に接続されている。第２コネクタ２３は、第１電子機器２の第１コネクタ１５と電気的に接続される。第２コネクタ２３と第１コネクタ１５とが電気的に接続されることにより、表示装置２２の制御基板と、第１電子機器２の基板３５とが電気的接続される。すなわち、第１電子機器２と第２電子機器３とが電気的に接続される。
【００３３】
第２コネクタ２３は、筐体２１の下壁２１ｅに設けられた開口部２１ｅａに臨むように筐体２１内に配置されて、筐体２１に固定されている。
【００３４】
第２コネクタ２３は、ボディ２６と、複数の第２端子２５と、を有する。ボディ２６は、合成樹脂材料等によって構成され、絶縁性を有する。ボディ２６には、二つの凹部２６ａが設けられている。二つの凹部２６ａは、左右方向に間隔を空けて設けられている。凹部２６ａは、ボディ２６の下面に設けられ、上方に凹んでいるとともに下方に開放されている。複数の第２端子２５は、ボディ２６の下面に固定されている。複数の第２端子２５は、左右方向に間隔を空けて並べられている。各第２端子２５は、金属材料によって構成され、導電性を有する。各第２端子２５は、表示装置２２の制御基板と電気的に接続されている。
【００３５】
次に、第１電子機器２について詳細に説明する。図４は、実施形態の第１電子機器２の正面側からの例示的な斜視図であって、結合部１２のフロントカバー１４ａが取り外されかつ結合機構１６が結合状態にある図である。図５は、実施形態の第１電子機器２の正面側からの例示的な斜視図であって、結合部１２のフロントカバー１４ａが取り外されかつ結合機構１６が非結合状態にある図である。
【００３６】
図２、図４および図５に示されるように、第１電子機器２の入力部１１は、キーボード１１ａを含む。
【００３７】
第１電子機器２の結合部１２は、入力部１１の後端部にヒンジ１３を介して結合されている。結合部１２は、左右方向に延びる回転中心回りに所定の範囲で回転可能となっている。
【００３８】
結合部１２は、筐体１４と、筐体１４内に収容された第１コネクタ１５（図４）と、筐体１４に収容された結合機構１６（図４）と、を有する。筐体１４は、ヒンジ１３に支持されている。筐体１４は、前後方向に扁平でかつ上下方向の長さよりも左右方向の長さ長い略直方体に形成されている。筐体１４は、フロントカバー１４ａ（図１）と、リヤカバー１４ｂ（図４）と、を含む複数の部材の組み合わせによって構成されている。リヤカバー１４ｂは、フロントカバー１４ａの後方に配置されている。フロントカバー１４ａとリヤカバー１４ｂとは、爪やネジ等のよって互いに結合されている。筐体１４は、ベース部の一例である。
【００３９】
図３に示されるように、第１コネクタ１５は、基板３５の上面に実装されている。すなわち、第１コネクタ１５は、基板３５と電気的に接続されている。基板３５は、キーボード１１ａと電気的に接続されている。
【００４０】
第１コネクタ１５は、ボディ３１と、複数の第１端子３２と、二つのグランドピン３３と、二つのガイドピン３４と、を有する。なお、図３では、複数の第１端子３２、二つのグランドピン３３、および二つのガイドピン３４におけるボディ３１の内部に位置する部分は、省略されている。
【００４１】
ボディ３１は、合成樹脂材材料等によって構成され、絶縁性を有する。
【００４２】
複数の第１端子３２は、ピン状に形成され、ボディ３１の上面から突出している。複数の第１端子３２は、左右方向に間隔を空けて並べられている。各第１端子３２は、上下方向（第１方向Ｄ１，第２方向Ｄ２）に伸縮可能に構成されている。各第２端子２５は、金属材料によって構成され、導電性を有する。複数の第２端子２５は、基板３５と電気的に接続されている。
【００４３】
二つのグランドピン３３は、左右方向に間隔を空けて設けられ、当該二つのグランドピン３３の間に複数の第１端子３２が位置している。各グランドピン３３、上下方向（第１方向Ｄ１，第２方向Ｄ２）に伸縮可能に構成されている。各グランドピン３３は、金属材料によって構成され、導電性を有する。各グランドピン３３は、基板３５のグランド端子と電気的に接続されている。グランドピン３３は、第１端子３２と同じ構成であってもよいし異なる構成であってもよい。また、グランドピン３３のボディ３１の上面からの高さは、第１端子３２のボディ３１の上面からの高さと同じであってもよいし異なってもよい。図３の例では、グランドピン３３のボディ３１の上面から高さが、第１端子３２のボディ３１の上面からの高さよりも高い例が示されている。
【００４４】
二つのガイドピン３４は、左右方向に間隔を空けて設けられ、当該二つのガイドピン３４の間に複数の第１端子３２および二つのグランドピン３３が位置している。ガイドピン３４は、第２電子機器３における第２コネクタ２３の凹部２６ａに挿脱可能となっている。
【００４５】
複数の第１端子３２、二つのグランドピン３３、および二つのガイドピン３４は、第１電子機器２と第２電子機器３とが結合されていない状態では、カバー４３内に収容されている。カバー４３は、筐体１４に設けられている。カバー４３は、上壁４３ｂと、上壁４３ｂの外周部から下方に延びた環状の周壁４３ｃと、を有する。上壁４３ｂの上面４３ａは、カバー４３の上面を構成する。上壁４３ｂには、上壁４３ｂを上下方向に貫通した開口部４３ｄが設けられている。すなわち、開口部４３ｄは、上面４３ａを貫通している。上面４３ａは、面の一例である。
【００４６】
複数の第１端子３２、二つのグランドピン３３、および二つのガイドピン３４は、第１電子機器２と第２電子機器３とが結合されていない状態で、開口部４３ｄに臨む。
【００４７】
第１コネクタ１５のボディ３１と基板３５とは、支持部材３６に固定されており、第１コネクタ１５、基板３５、および支持部材３６は、可動体３７を構成している。可動体３７は、上下方向（第１方向Ｄ１、第２方向Ｄ２）に移動可能に設けられている。具体的には、可動体３７は、左右二つのガイド軸３８によって上下方向にガイドされる。ガイド軸３８は、可動体３７に設けられた孔に入れられている。また、可動体３７は、当該可動体３７の上下方向の可動範囲のうち最下位置に位置した場合には、左右二つの爪状のストッパ３９によって下方への移動が制限される。ガイド軸３８およびストッパ３９は、カバー４３と一体化されており、ガイド軸３８、ストッパ３９、およびカバー４３は、固定部材５０を構成している。固定部材５０は、筐体１４に固定されている。
【００４８】
また、可動体３７は、弾性部材４０によって下方に押されている。弾性部材４０は、可動体３７と固定部材５０との間に介在している。弾性部材４０は、例えばコイルバネであり、内側にガイド軸３８が入れられている。第１電子機器２と第２電子機器３とが結合されていない状態では、可動体３７は、ストッパ３９と接触して下方への移動が制限された状態で、弾性部材４０によってストッパ３９に押し付けられている。これにより、可動体３７の位置が保持される。なお、弾性部材４０は、上記の構成に限定されない。例えば、弾性部材４０は、板バネ等であってもよい。
【００４９】
図３に示されるように、結合機構１６は、二つの回転部材４１と、二つのロック機構４４と、を有する。回転部材４１は、リフターとも称される。
【００５０】
二つの回転部材４１は、左右方向に互いに間隔を空けて設けられ、当該二つの回転部材４１の間に、可動体３７が位置している。二つの回転部材４１は、所定の平面１００に関して対称形状である。平面１００は、例えば、二つの回転部材４１の左右方向の中間を通り、上下方向に沿った線（不図示）と直交する。
【００５１】
回転部材４１は、第１アーム部４１ｂと、第２アーム部４１ｃと、ロックアーム部４１ｄと、を有している。回転部材４１は、第１方向Ｄ１と交差する回転中心Ａｘ１回りに回転可能に筐体１４に支持されている。具体的には、回転部材４１は、支軸４２を介して筐体１４に回転可能に支持されている。回転部材４１は、金属材料によって構成され、導電性を有している。回転中心Ａｘ１は、中心軸とも称される。
【００５２】
第１アーム部４１ｂは、回転中心Ａｘ１側の基端部４１ｂａと、基端部４１ｂａの反対側の先端部４１ｂｂと、を有し、回転中心Ａｘ１と直交する方向に延びている。また、第１アーム部４１ｂは、基端部４１ｂａを含むベース部４１ｂｃと、先端部４１ｂｂを含む引掛部４１ｂｄと、を有する。ベース部４１ｂｃは、回転中心Ａｘ１と直交する方向に延びている。引掛部４１ｂｄは、ベース部４１ｂｃから屈曲している。引掛部４１ｂｄは、第１接触面４１ｂｅと、第２接触面４１ｂｆと、を有する。第１接触面４１ｂｅは、上方に凸状の曲面に形成されている。第２接触面４１ｂｆは、下方を向く平面に形成されている。
【００５３】
第２アーム部４１ｃは、回転中心Ａｘ１に対して第１アーム部４１ｂとは反対側に設けられている。第２アーム部４１ｃは、回転中心Ａｘ１側の基端部４１ｃａと、基端部４１ｃａの反対側の先端部４１ｃｂと、を有し、回転中心Ａｘ１と直交する方向に延びている。また、第２アーム部４１ｃは、基端部４１ｃａを含むベース部４１ｃｃと、先端部４１ｃｂを含む引掛部４１ｃｄと、を有する。ベース部４１ｃｃは、回転中心Ａｘ１と直交する方向に延びている。引掛部４１ｃｄは、ベース部４１ｂｃから屈曲している。
【００５４】
第２アーム部４１ｃの引掛部４１ｃｄは、可動体３７における支持部材３６の下方に位置し、支持部材３６の下面と引っ掛かっている。これにより、回転部材４１は、支持部材３６と電気的に接続されている。
【００５５】
ロックアーム部４１ｄは、第１アーム部４１ｂにおけるベース部４１ｂｃから可動体３７とは反対側に延びている。ロックアーム部４１ｄは、先端部に球状の引掛部４１ｄａを有する。
【００５６】
図６は、実施形態の電子機器システム１の一部の例示的な断面図であって、第１電子機器２と第２電子機器３との結合動作において非結合位置Ｐ１に位置した回転部材４１とガイド部２４ｂとが接触した状態の図である。図７は、実施形態の電子機器システム１の一部の例示的な断面図であって、第１電子機器２と第２電子機器３との結合が完了した状態（結合完了状態）の図である。図８は、実施形態の第１電子機器２の一部の例示的な断面図であって、第１電子機器２から第２電子機器３を分離させるために、図７の状態から第２電子機器３が更に第１方向Ｄ１に移動された状態の図である。
【００５７】
図３、図６〜図８に示されるように、回転部材４１の回転可能な範囲には、例えば、非結合位置Ｐ１（図３および図６）と、結合位置Ｐ２（図７）と、解除位置Ｐ３（図８）とが含まれる。非結合位置Ｐ１、結合位置Ｐ２、解除位置Ｐ３の順で、第１アーム部４１ｂ（先端部４１ｂｂ）がより第１方向Ｄ１に位置する。右側の回転部材４１の、非結合位置Ｐ１から結合位置Ｐ２を経ての解除位置Ｐ３への回転方向は、第１電子機器２を正面から見た場合には、時計回りである。一方、左側の回転部材４１の、非結合位置Ｐ１から結合位置Ｐ２を経ての解除位置Ｐ３への回転方向は、第１電子機器２を正面から見た場合には、反時計回りである。以上のように、本実施形態では、回転部材４１は、非結合位置Ｐ１と解除位置Ｐ３との間で回転可能に設けられている。すなわち、回転部材４１は、少なくとも非結合位置Ｐ１と結合位置Ｐ２との間で回転可能に設けられている。
【００５８】
図３に示されるように、第１アーム部４１ｂは、回転部材４１が非結合位置Ｐ１に位置した状態で、第１方向Ｄ１と交差する方向に延びている。また、二つの回転部材４１の二つの第１アーム部４１ｂは、二つの回転部材４１が非結合位置Ｐ１に位置した状態で、基端部４１ｂａから先端部４１ｂｂに向かうにつれて互いの間隔が広がるように構成されている。
【００５９】
図３に示されるように、ロック機構４４は、回転部材４１毎に設けられている。二つのロック機構４４は、左右方向に互いに間隔を空けて設けられ、当該二つのロック機構４４の間に二つの回転部材４１が設けられている。ロック機構４４は、結合位置Ｐ２に位置した回転部材４１をロックし、かつ回転部材４１のロックの解除が可能である。ロック機構４４は、例えば周知のプッシュラッチ機構である。ロック機構４４は、ロックアーム部４１ｄの引掛部４１ｄａに押されることにより引掛部４１ｄａひいては回転部材４１をロックし、当該引掛部４１ｄａに再度押されることにより当該ロックを解除する。
【００６０】
次に、第１電子機器２と第２電子機器３との分離および結合について図３，図６〜図８を参照して説明する。
【００６１】
図３に示されるように、第１電子機器２と第２電子機器３との分離状態では、回転部材４１が非結合位置Ｐ１に位置し、第１端子３２と第２端子２５とは、離間している。また、回転部材４１が非結合位置Ｐ１に位置した状態では、第１端子３２は、第１端子３２の先端３２ａがカバー４３の上面４３ａよりも第１方向Ｄ１に位置した状態で、カバー４３内に収容されている。
【００６２】
第１電子機器２と第２電子機器３との結合動作では、例えば、第２電子機器３が第１方向Ｄ１に移動されて、第２電子機器３のガイド部２４ｂと、第１電子機器２の回転部材４１における第１アーム部４１ｂの第１接触面４１ｂｅと、が接触する（図６）。この状態から更に第２電子機器３が第１方向Ｄ１に移動されると、ガイド部２４ｂが第１アーム部４１ｂを押し下げる。これにより、回転部材４１は、可動体３７から第１アーム部４１ｂが離間する方向に回転し、第１アーム部４１ｂの第２接触面４１ｂｆが結合部２４の被引掛部２４ｃに引っ掛かる（図７）。すなわち、回転部材４１が結合位置Ｐ２に位置する。結合位置Ｐ２に位置した回転部材４１の第１アーム部４１ｂと、筐体１４とが、第２電子機器３の結合部２４（下壁２１ｅ）を挟む。また、このとき、回転部材４１のロックアーム部４１ｄの引掛部４１ｄａがロック機構４４内に押し込まれて、回転部材４１がロック機構４４によってロックされる。また、この回転部材４１の回転に伴い、第２アーム部４１ｃが可動体３７を第２方向Ｄ２に移動させる。この可動体３７の移動により、第１電子機器２の、第１端子３２、グランドピン３３およびガイドピン３４が、カバー４３から第２方向Ｄ２に突出する。そして、ガイドピン３４が第２電子機器３における第２コネクタ２３の凹部２６ａに挿入され、第１コネクタ１５と第２コネクタ２３との左右方向および前後方向の位置決めがされ、その後、第１端子３２およびグランドピン３３が第２端子２５と接触して縮む。すなわち、回転部材４１が結合位置Ｐ２に位置した状態では、第１端子３２の先端３２ａがカバー４３の上面４３ａよりも第２方向Ｄ２に位置した状態で第１端子３２が開口部４３ｄから突出している。なお、本実施形態では、第１端子３２が第２端子２５と接触するよりも前にグランドピン３３が第２端子２５と接触するが、第１端子３２とグランドピン３３とが同時に第２端子２５と接触してもよい。
【００６３】
上記のようにして、第１電子機器２と第２電子機器３とが結合される。なお、この第１電子機器２と第２電子機器３とが結合された状態では、第２電子機器３は、第１電子機器２と第２電子機器３との間に介在した不図示の弾性部材によって第２方向Ｄ２に押されている。
【００６４】
第１電子機器２と第２電子機器３との分離動作においては、まずは、第２電子機器３が第１方向Ｄ１に押される（図８）。このとき上述の第１電子機器２と第２電子機器３との間に介在した不図示の弾性部材は圧縮される。この第２電子機器３の第１方向Ｄ１の移動によって、回転部材４１の第１アーム部４１ｂの先端部４１ｂｂが可動体３７から離間する方向に回転部材４１が回転し、ロックアーム部４１ｄの引掛部４１ｄａがロック機構４４を押す。これにより、ロック機構４４による回転部材４１のロックが解除される。次に、第２電子機器３が第２方向Ｄ２に移動され、第２電子機器３が第１電子機器２から離間する（図３）。このとき、第１電子機器２においては、弾性部材４０の弾性力によって可動体３７が下方に移動し、最下位置に戻るとともに、可動体３７の移動によって下方に押されて回転した回転部材４１が非結合位置Ｐ１に戻る。
【００６５】
以上のように、本実施形態では、電子機器システム１は、第１電子機器２と、第１電子機器２に向かう第１方向Ｄ１の移動によって第１電子機器２と結合され、第１方向Ｄ１の反対の第２方向Ｄ２の移動によって第１電子機器２から外される第２電子機器３と、を備える。第１電子機器２は、筐体１４（ベース部）と、回転部材４１と、ロック機構４４と、を備える。回転部材４１は、第１アーム部４１ｂを有し、少なくとも非結合位置Ｐ１と第１アーム部４１ｂが非結合位置Ｐ１のときよりも第１方向Ｄ１に位置する結合位置Ｐ２との間で、第１方向Ｄ１と交差する回転中心Ａｘ１回りに回転可能に、筐体１４に支持されている。ロック機構４４は、結合位置Ｐ２に位置した回転部材４１をロックし、かつ回転部材４１のロックの解除が可能である。第２電子機器３は、ガイド部２４ｂと、被引掛部２４ｃと、を備える。ガイド部２４ｂは、第２電子機器３の第１方向Ｄ１への移動に伴って第１アーム部４１ｂを第１方向Ｄ１に押すことにより、回転部材４１を非結合位置Ｐ１から結合位置Ｐ２に向かって回転させる。被引掛部２４ｃは、ガイド部２４ｂによって回転された回転部材４１が結合位置Ｐ２に位置してロック機構４４によってロックされた状態で、第１アーム部４１ｂの第１方向Ｄ１に位置し第１アーム部４１ｂが引っ掛けられている。
【００６６】
このような構成によれば、第１電子機器２における回転部材４１の第１アーム部４１ｂが第２電子機器３のガイド部２４ｂに第１方向Ｄ１に押されることにより、回転部材４１が非結合位置Ｐ１から結合位置Ｐ２に回転して結合位置Ｐ２でロック機構４４によってロックされ、第１電子機器２の第１アーム部４１ｂが第２電子機器３の被引掛部２４ｃに引っ掛かる。この動作において、回転部材４１は、第１電子機器２と第２電子機器３との相対的な位置決めと、第１電子機器２に対する第２電子機器３の引っ掛けと、を行なう。よって、第１電子機器２と第２電子機器３との相対的な位置決めと、第１電子機器２に対する第２電子機器３の引っ掛けと、を別個の部材で行なう構成に比べて、第１電子機器２と第２電子機器３とを結合するための構成の簡素化がしやすい。したがって、第１電子機器２および第２電子機器３の小型化やコスト削減がしやすい。また、第１電子機器２と第２電子機器３とを結合させるための使用者の作業は、第２電子機器３を第１電子機器２に向かって移動させるという一つの作業でよい。
【００６７】
また、本実施形態では、第１アーム部４１ｂは、回転部材４１が非結合位置Ｐ１に位置した状態で、第１方向Ｄ１と交差する方向に延びている。
【００６８】
このような構成によれば、第１方向Ｄ１および第２方向Ｄ２に沿った第１電子機器２の高さを低くしやすい。また、第１アーム部４１ｂが第１方向Ｄ１へ第１アーム部４１ｂを押すことにより、第１アーム部４１ｂがスムーズに回転する。
【００６９】
また、本実施形態では、例えば、第１電子機器２は、第１方向Ｄ１と直交する方向に互いに間隔を空けて位置した二つの回転部材４１を有し、二つの回転部材４１の二つの第１アーム部４１ｂは、二つの回転部材４１が非結合位置Ｐ１に位置した状態で、回転中心Ａｘ１側の基端部４１ｂａから基端部４１ｂａの反対側の先端部４１ｂｂに向かうにつれて互いの間隔が広がるように構成されている。
【００７０】
このような構成によれば、回転部材４１が結合位置Ｐ２に位置した状態における二つの第１アーム部４１ｂの先端部４１ｂｂ同士の間隔が、二つの回転部材４１が非結合位置Ｐ１に位置した状態で、回転中心Ａｘ１側の基端部４１ｂａから先端部４１ｂｂに向かうにつれて互いの間隔が狭くなるような構成に比べて、広くなるので、第１電子機器２と第２電子機器３との結合がより強固になりやすい。
【００７１】
また、本実施形態では、第１電子機器２は、第１端子３２と、第１端子３２と電気的に接続された支持部材３６（第１グランド部材）と、を備える。第２電子機器３は、第２端子２５と、ガイド部２４ｂおよび第２端子２５と電気的に接続された筐体２１（第２グランド部材）と、を備える。回転部材４１は、導電性を有し、支持部材３６と電気的に接続され、第１端子３２と第２端子２５とは、回転部材４１が非結合位置Ｐ１に位置した状態では離間し、回転部材４１が結合位置Ｐ２に位置した状態では接触する。
【００７２】
このような構成によれば、第１電子機器２と第２電子機器３との結合動作において、非結合位置Ｐ１に位置した回転部材４１とガイド部２４ｂとが接触して、回転部材４１とガイド部２４ｂとを介して支持部材３６と筐体２１とが電気的に接続された後に、第１電子機器２の第１端子３２と第２電子機器３の第２端子２５とが接触する。よって、第１電子機器２の第１端子３２と第２電子機器３の第２端子２５との接触前に、第１電子機器２と第２電子機器３とのグランドレベルが同等になりやすい。よって、第１端子３２と第２端子２５との間の通信等が安定しやすい。また、複数の第１端子３２と、二つのグランドピン３３と、を共通化することができる。このように、複数の第１端子３２と、二つのグランドピン３３と、を共通化することにより、複数の第１端子３２と、二つのグランドピン３３とのそれぞれの第２コネクタ２３との接触による圧力のばらつきを抑制することができ、第１コネクタ１５と第２コネクタ２３との接続が安定する。
【００７３】
また、本実施形態は、第１電子機器２は、第１端子３２を有し第１方向Ｄ１および第２方向Ｄ２に移動可能に筐体１４（ベース部）に支持された可動体３７を備える。回転部材４１は、可動体３７に引っ掛かり、回転部材４１の非結合位置Ｐ１から結合位置Ｐ２への移動に伴い可動体３７を第２方向Ｄ２に移動させる第２アーム部４１ｃを有する。第２電子機器３は、少なくとも回転部材４１が結合位置Ｐ２に位置した状態で、第１端子３２と接触する第２端子２５を有する。
【００７４】
このような構成によれば、回転部材４１に第２アーム部４１ｃが設けられているので、可動体３７を第２方向Ｄ２に移動させて第１端子３２と第２端子２５とを接触させる構成が回転部材４１とは別個に設けられている構成に比べて、第１電子機器２と第２電子機器３とを結合するための構成の簡素化がしやすい。
【００７５】
また、本実施形態では、第１電子機器２は、結合位置Ｐ２から非結合位置Ｐ１に向かう方向に回転部材４１を回転させる弾性力を発生する弾性部材４０を備える。
【００７６】
このような構成によれば、第１電子機器２から第２電子機器３が外されると、弾性部材４０の弾性力によって、回転部材４１が結合位置Ｐ２から非結合位置Ｐ１に自動的に移動する。
【００７７】
また、本実施形態では、第１電子機器２は、第２方向Ｄ２を向いた上面４３ａ（面）を有し、上面４３ａを第１方向Ｄ１に貫通し第１端子３２の移動が可能な開口部４３ｄが設けられたカバー４３を有する。回転部材４１が非結合位置Ｐ１に位置した状態では、第１端子３２は、第１端子３２の先端３２ａが上面４３ａよりも第１方向Ｄ１に位置した状態で、カバー４３内に収容されている。回転部材４１が結合位置Ｐ２に位置した状態では、第１端子３２の先端３２ａが上面４３ａよりも第２方向Ｄ２に位置した状態で第１端子３２が開口部４３ｄから突出する。
【００７８】
このような構成によれば、第１電子機器２に第２電子機器３が結合されていない状態では、第１電子機器２の第１端子３２は、第１端子３２の先端３２ａがカバー４３の上面４３ａよりも第１方向Ｄ１に位置した状態で、カバー４３内に収容されるので、第１端子３２の先端３２ａが保護されやすい。
【００７９】
また、本実施形態では、ロック機構４４は、ラッチ機構（一例として、プッシュラッチ機構）である。
【００８０】
このような構成によれば、ロック機構４４を動かす駆動源を設けずに済むため、ロック機構４４を比較的容易に構成することができる。また、本実施形態では、ロック機構４４によるロックを解除するための使用者の作業は、第２電子機器３を第１電子機器２に向かって一旦押し下げるという一つの作業でよい。
【００８１】
なお、上記実施形態では、第１電子機器２が入力部１１を備えた例が示されたがこれに限定されない。例えば、第１電子機器２は、入力部１１を備えていなくてもよい。また、本実施形態は、第２電子機器３が、タブレット型（スレート型）のパーソナルコンピュータとして構成された例が示されたが、これに限定されない。例えば、第２電子機器３は、スマートフォン、携帯電話、映像表示装置、テレビジョン受像機、ゲーム機、情報記憶装置等であってもよい。更には、第１電子機器２が、タブレット型（スレート型）のパーソナルコンピュータや、スマートフォン、携帯電話、映像表示装置、テレビジョン受像機、ゲーム機、情報記憶装置等であって、第２電子機器３が、入力部１１を備えた構成であってもよい。
【００８２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８３】
１…電子機器システム、２…第１電子機器（支持装置）、３…第２電子機器、１４…筐体（ベース部）、２１…筐体（第２グランド部材）、２４ｂ…ガイド部、２４ｃ…被引掛部、２５…第２端子、３２…第１端子、３２ａ…先端、３６…支持部材（第１グランド部材）、３７…可動体、４１ｃ…第２アーム部、４０…弾性部材、４１…回転部材、４１ｂ…第１アーム部、４３…カバー、４３ａ…上面（面）、４４…ロック機構、Ａｘ１…回転中心、Ｄ１…第１方向、Ｄ２…第２方向、Ｐ１…非結合位置、Ｐ２…結合位置。
【図１】
2020123144.tif 000003
【図２】
2020123144.tif 000004
【図３】
2020123144.tif 000005
【図４】
2020123144.tif 000006
【図５】
2020123144.tif 000007
【図６】
2020123144.tif 000008
【図７】
2020123144.tif 000009
【図８】
2020123144.tif 000010
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
第１電子機器と、
前記第１電子機器に向かう第１方向の移動によって前記第１電子機器と結合され、前記第１方向の反対の第２方向の移動によって前記第１電子機器から外される第２電子機器と、
を備え、
前記第１電子機器は、
ベース部と、
第１アーム部と、前記第１アーム部から延びたロックアーム部と、を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、
前記結合位置に位置した前記回転部材をロックし、かつ前記回転部材のロックの解除が可能なロック機構と、
を備え、
前記第２電子機器は、
前記第２電子機器の前記第１方向への移動に伴って前記第１アーム部を前記第１方向に押すことにより、前記回転部材を前記非結合位置から前記結合位置に向かって回転させるガイド部と、
前記ガイド部によって回転された前記回転部材が前記結合位置に位置して前記ロック機構によってロックされた状態で、前記第１アーム部の前記第１方向に位置し前記第１アーム部が引っ掛けられた被引掛部と、
を備え、
前記ロックアーム部は、前記ガイド部によって前記第１アーム部が前記第１方向に押されて前記回転部材が回転されることにより、前記ロック機構にロックされる、電子機器システム。
【請求項２】
前記第１アーム部は、前記回転部材が前記非結合位置に位置した状態で、前記第１方向と交差する方向に延びた、請求項１に記載の電子機器システム。
【請求項３】
前記第１電子機器は、前記第１方向と直交する方向に互いに間隔を空けて位置した二つの前記回転部材を有し、
二つの前記回転部材の二つの前記第１アーム部は、二つの前記回転部材が前記非結合位置に位置した状態で、前記回転中心側の基端部から前記基端部の反対側の先端部に向かうにつれて互いの間隔が広がるように構成された、請求項２に記載の電子機器システム。
【請求項４】
前記第１電子機器は、
第１端子と、
前記第１端子と電気的に接続された第１グランド部材と、
を備え、
前記第２電子機器は、
第２端子と、
前記ガイド部および前記第２端子と電気的に接続された第２グランド部材と、
を備え、
前記回転部材は、導電性を有し、前記第１グランド部材と電気的に接続され、
前記第１端子と前記第２端子とは、前記回転部材が前記非結合位置に位置した状態では離間し、前記回転部材が前記結合位置に位置した状態では、接触する、請求項１〜３のうちいずれか一つに記載の電子機器システム。
【請求項５】
前記第１電子機器は、
第１端子を有し前記第１方向および前記第２方向に移動可能に前記ベース部に支持された可動体を備え、
前記回転部材は、前記可動体に引っ掛かり、前記回転部材の前記非結合位置から前記結合位置への移動に伴い前記可動体を前記第２方向に移動させる第２アーム部を有し、
前記第２電子機器は、少なくとも前記回転部材が前記結合位置に位置した状態で、前記第１端子と接触する第２端子を有した、請求項１〜３のうちいずれか一つに記載の電子機器システム。
【請求項６】
前記第１電子機器は、前記結合位置から前記非結合位置に向かう方向に前記回転部材を回転させる弾性力を発生する弾性部材を備えた、請求項１〜５のうちいずれか一つに記載の電子機器システム。
【請求項７】
前記第１電子機器は、前記第２方向を向いた面を有し、前記面を前記第１方向に貫通し前記第１端子の移動が可能な開口部が設けられたカバーを有し、
前記回転部材が前記非結合位置に位置した状態では、前記第１端子は、前記第１端子の先端が前記面よりも前記第１方向に位置した状態で、前記カバー内に収容され、
前記回転部材が前記結合位置に位置した状態では、前記第１端子の前記先端が前記面よりも前記第２方向に位置した状態で前記第１端子が前記開口部から突出する、請求項５に記載の電子機器システム。
【請求項８】
前記ロック機構は、ラッチ機構である、請求項１〜７のうちいずれか一つに記載の電子機器システム。
【請求項９】
ガイド部と被引掛部とを有した電子機器を着脱可能に支持する支持装置であって、
前記電子機器は、前記支持装置に向かう第１方向の移動によって前記支持装置と結合され、前記第１方向の反対の第２方向の移動によって前記支持装置から外され、
前記支持装置は、
ベース部と、
第１アーム部と、前記第１アーム部から延びたロックアーム部と、を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、
前記結合位置に位置した前記回転部材をロックし、かつ前記回転部材のロックの解除が可能なロック機構と、
を備え、
前記回転部材は、前記電子機器の前記第１方向への移動に伴って前記ガイド部によって前記第１アーム部が前記第１方向に押されることにより、前記非結合位置から前記結合位置に向かって回転し、
前記第１アーム部は、前記ガイド部によって回転された前記回転部材が前記結合位置に位置して前記ロック機構によってロックされた状態で、前記第１アーム部は、前記被引掛部の前記第２方向に位置し前記被引掛部に引っ掛かり、
前記ロックアーム部は、前記ガイド部によって前記第１アーム部が前記第１方向に押されて前記回転部材が回転されることにより、前記ロック機構にロックされる、支持装置。
【手続補正２】
【補正対象書類名】明細書
【補正対象項目名】０００６
【補正方法】変更
【補正の内容】
【０００６】
本発明の第１態様にかかる電子機器システムは、第１電子機器と、前記第１電子機器に向かう第１方向の移動によって前記第１電子機器と結合され、前記第１方向の反対の第２方向の移動によって前記第１電子機器から外される第２電子機器と、を備える。前記第１電子機器は、ベース部と、第１アーム部と、前記第１アーム部から延びたロックアーム部と、を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、前記結合位置に位置した前記回転部材をロックし、かつ前記回転部材のロックの解除が可能なロック機構と、を備える。前記第２電子機器は、前記第２電子機器の前記第１方向への移動に伴って前記第１アーム部を前記第１方向に押すことにより、前記回転部材を前記非結合位置から前記結合位置に向かって回転させるガイド部と、前記ガイド部によって回転された前記回転部材が前記結合位置に位置して前記ロック機構によってロックされた状態で、前記第１アーム部の前記第１方向に位置し前記第１アーム部が引っ掛けられた被引掛部と、を備える。前記ロックアーム部は、前記ガイド部によって前記第１アーム部が前記第１方向に押されて前記回転部材が回転されることにより、前記ロック機構にロックされる。
【手続補正３】
【補正対象書類名】明細書
【補正対象項目名】００１４
【補正方法】変更
【補正の内容】
【００１４】
本発明の第２態様にかかる支持装置は、ガイド部と被引掛部とを有した電子機器を着脱可能に支持する支持装置である。前記電子機器は、前記支持装置に向かう第１方向の移動によって前記支持装置と結合され、前記第１方向の反対の第２方向の移動によって前記支持装置から外される。前記支持装置は、ベース部と、第１アーム部と、前記第１アーム部から延びたロックアーム部と、を有し、少なくとも非結合位置と前記第１アーム部が前記非結合位置のときよりも前記第１方向に位置する結合位置との間で、前記第１方向と交差する回転中心回りに回転可能に、前記ベース部に支持された回転部材と、前記結合位置に位置した前記回転部材をロックし、かつ前記回転部材のロックの解除が可能なロック機構と、を備える。前記回転部材は、前記電子機器の前記第１方向への移動に伴って前記ガイド部によって前記第１アーム部が前記第１方向に押されることにより、前記非結合位置から前記結合位置に向かって回転する。前記第１アーム部は、前記ガイド部によって回転された前記回転部材が前記結合位置に位置して前記ロック機構によってロックされた状態で、前記第１アーム部は、前記被引掛部の前記第２方向に位置し前記被引掛部に引っ掛かる。前記ロックアーム部は、前記ガイド部によって前記第１アーム部が前記第１方向に押されて前記回転部材が回転されることにより、前記ロック機構にロックされる。
【手続補正４】
【補正対象書類名】明細書
【補正対象項目名】００８３
【補正方法】変更
【補正の内容】
【００８３】
１…電子機器システム、２…第１電子機器（支持装置）、３…第２電子機器、１４…筐体（ベース部）、２１…筐体（第２グランド部材）、２４ｂ…ガイド部、２４ｃ…被引掛部、２５…第２端子、３２…第１端子、３２ａ…先端、３６…支持部材（第１グランド部材）、３７…可動体、４０…弾性部材、４１…回転部材、４１ｂ…第１アーム部、４１ｃ…第２アーム部、４１ｄ…ロックアーム部、４３…カバー、４３ａ…上面（面）、４４…ロック機構、Ａｘ１…回転中心、Ｄ１…第１方向、Ｄ２…第２方向、Ｐ１…非結合位置、Ｐ２…結合位置。